(57)【要約】      （修正有）【課題】ストロボ発光可能となるまでの充電時間の迅速化、撮影間隔の短縮化を実現し得る主コンデンサ充電回路を提供する。【解決手段】電源部４から、容量分割した複数段の並列接続の分割主コンデンサに所定の電圧を供給して各分割主コンデンサを充電し、これらに並列接続したストロボ放電管９を発光させるストロボ装置における主コンデンサ充電回路１であって、複数段の各分割主コンデンサに各々電源部４からの所定の電圧を供給して充電する複数段の充電回路と、前記分割主コンデンサの充電電圧を検出する複数段の電圧検出回路と、前段から最終段にわたって、前段の電圧検出回路の検出電圧を入力して当該分割主コンデンサＭＣ１の充電完了を判定し、判定結果に基づき後続段の充電回路を駆動して当該分割主コンデンサＭＣ２を充電する順次充電制御を行う制御回路７と、を有する。【選択図】図１
2009186623.tif 000002
【特許請求の範囲】
【請求項１】
電源部から、容量分割した前段から最終段に至る複数段の並列接続の分割主コンデンサに所定の電圧を供給して各分割主コンデンサを充電し、これらに並列接続したストロボ放電管を発光させるストロボ装置における主コンデンサ充電回路であって、
前記複数段の各分割主コンデンサに各々電源部からの所定の電圧を供給して充電する複数段の充電回路と、
前記複数段の各分割主コンデンサの充電電圧を検出する複数段の電圧検出回路と、
前段から最終段にわたって、前段の電圧検出回路の検出電圧を入力して当該分割主コンデンサの充電完了を判定し、判定結果に基づき後続段の充電回路を駆動して当該分割主コンデンサを充電する順次充電制御を行う制御回路と、
を有することを特徴とするストロボ装置における主コンデンサ充電回路。
【請求項２】
電源部から、容量分割した前段、後段からなる２段の並列接続の分割主コンデンサに所定の電圧を供給して各分割主コンデンサを充電し、これらに並列接続したストロボ放電管を発光させるストロボ装置における主コンデンサ充電回路であって、
前記各段の各分割主コンデンサに各々電源部からの所定の電圧を供給して充電する２段の充電回路と、
前記２段の各分割主コンデンサの充電電圧を検出する２段の電圧検出回路と、
前段の電圧検出回路の検出電圧を入力して前段の分割主コンデンサの充電完了を判定し、判定結果に基づき後段の充電回路を駆動して当該分割主コンデンサを充電する順次充電制御を行う制御回路と、
を有することを特徴とするストロボ装置における主コンデンサ充電回路。
【請求項３】
電源部から、容量分割した前段、中段、後段からなる３段の並列接続の分割主コンデンサに所定の電圧を供給して各分割主コンデンサを充電し、これらに並列接続したストロボ放電管を発光させるストロボ装置における主コンデンサ充電回路であって、
前記各段の各分割主コンデンサに各々電源部からの所定の電圧を供給して充電する３段の充電回路と、
前記３段の各分割主コンデンサの充電電圧を検出する３段の電圧検出回路と、
前段から後段にわたって、前段の電圧検出回路の検出電圧を入力して前段の分割主コンデンサの充電完了を判定し、判定結果に基づき中段の充電回路を駆動して当該分割主コンデンサを充電し、中段の電圧検出回路の検出電圧を入力して中段の分割主コンデンサの充電完了を判定し、判定結果に基づき後段の充電回路を駆動して当該分割主コンデンサを充電する順次充電制御を行う制御回路と、
を有することを特徴とするストロボ装置における主コンデンサ充電回路。
【請求項４】
前記制御回路は、前記各分割主コンデンサの充電完了に応じて対応する各充電完了ランプを点灯駆動することを特徴とする請求項１乃至３のいずれかに記載のストロボ装置における主コンデンサ充電回路。
【発明の詳細な説明】
【技術分野】
【０００１】
本発明は、ストロボ装置における主コンデンサ充電回路に関するものである。
【背景技術】
【０００２】
カメラとストロボ装置とを組み合わせ、ストロボ発光下で被写体の撮影を行うことは従来より日常的に行われている。
【０００３】
この場合、一般的にはストロボ装置にストロボ発光管を発光させるための比較的大容量の主コンデンサが搭載されていることが多く、このため、主コンデンサの充電時間（充電開始からストロボ発光管が発光可能状態になる充電電圧となる時間）が、例えば８秒等のように比較的長くなり、その待ち時間のために折角のシャッターチャンスを逃す等のカメラマンにとって好ましくない事態が多々生じている。
【０００４】
特許文献１には、フォワード式昇圧回路、フライバック式昇圧回路等を備え、これらを主コンデンサの電圧に応じて切り替え駆動して全体としてストロボ発光管を発光させるための主コンデンサの総充電時間の短縮を図ったストロボ装置が開示されている。
【０００５】
しかし、この特許文献１を含め、主コンデンサ容量を容量分割した複数個の小容量の複数の分割主コンデンサを備え、これらを順次充電することでストロボ発光可能となるまでの充電時間の迅速化、さらには撮影間隔の短縮を図るような簡略構成のストロボ装置における主コンデンサ充電回路は見当たらないのが現状である。
【特許文献１】特開２００１−３５０１８６号公報
【発明の開示】
【発明が解決しようとする課題】
【０００６】
本発明が解決しようとする問題点は、ストロボ発光可能となるまでの充電時間の迅速化、さらには撮影間隔の短縮化を実現し得る簡略構成のストロボ装置における主コンデンサ充電回路が存在しない点である。
【課題を解決するための手段】
【０００７】
本発明のストロボ装置における主コンデンサ充電回路は、電源部から、容量分割した前段から最終段に至る複数段の並列接続の分割主コンデンサに所定の電圧を供給して各分割主コンデンサを充電し、これらに並列接続したストロボ放電管を発光させるストロボ装置における主コンデンサ充電回路であって、前記複数段の各分割主コンデンサに各々電源部からの所定の電圧を供給して充電する複数段の充電回路と、前記複数段の各分割主コンデンサの充電電圧を検出する複数段の電圧検出回路と、前段から最終段にわたって、前段の電圧検出回路の検出電圧を入力して当該分割主コンデンサの充電完了を判定し、判定結果に基づき後続段の充電回路を駆動して当該分割主コンデンサを充電する順次充電制御を行う制御回路と、を有することを最も主要な特徴とする。
【発明の効果】
【０００８】
請求項１記載の発明によれば、通常使用される主コンデンサの容量を複数段に分割した容量を有する複数段の各分割主コンデンサを、順次短時間でストロボ放電管が発光可能な状態に充電し、個々にストロボ放電管の発光の下に被写体の撮影を実行可能な状態とするものであるから、通常使用される主コンデンサ１個を用いたストロボ装置に比べて、少ない待ち時間でストロボ装置を使用した被写体の撮影を次々と行なうことが可能なストロボ装置における主コンデンサ充電回路を提供することができる。
【０００９】
請求項２記載の発明によれば、通常使用される主コンデンサの容量を２段に分割した容量を有する２段の各分割主コンデンサを、順次短時間でストロボ放電管が発光可能な状態に充電し、個々にストロボ放電管の発光の下に被写体の撮影を実行可能な状態とするものであるから、通常使用される主コンデンサ１個を用いたストロボ装置に比べて、１／２の待ち時間でストロボ装置を使用した被写体の撮影を次々と行なうことが可能なストロボ装置における主コンデンサ充電回路を提供することができる。
【００１０】
請求項３記載の発明によれば、通常使用される主コンデンサの容量を３段に分割した容量を有する３段の各分割主コンデンサを、順次短時間でストロボ放電管が発光可能な状態に充電し、個々にストロボ放電管の発光の下に被写体の撮影を実行可能な状態とするものであるから、通常使用される主コンデンサ１個を用いたストロボ装置に比べて、１／３の待ち時間でストロボ装置を使用した被写体の撮影を次々と行なうことが可能なストロボ装置における主コンデンサ充電回路を提供することができる。
【００１１】
請求項４記載の発明によれば、請求項１乃至３のいずれかに記載の発明において、制御回路により、各分割主コンデンサの充電完了に応じて対応する各充電完了ランプを点灯駆動するものであるから、個々の分割主コンデンサの充電完了が認識し易く、カメラマンのシャッター操作に便利なストロボ装置における主コンデンサ充電回路を提供することができる。
【発明を実施するための最良の形態】
【００１２】
本発明は、ストロボ発光可能となるまでの充電時間の迅速化、さらには撮影間隔の短縮化を実現し得る簡略構成のストロボ装置における主コンデンサ充電回路を提供することを目的とする。
【００１３】
本発明のストロボ装置における主コンデンサ充電回路は、電源部から、容量分割した前段、中段、後段からなる３段の並列接続の分割主コンデンサに所定の電圧を供給して各分割主コンデンサを充電し、これらに並列接続したストロボ放電管を発光させるストロボ装置における主コンデンサ充電回路であって、前記各段の各分割主コンデンサに各々電源部からの所定の電圧を供給して充電する３段の充電回路と、前記３段の各分割主コンデンサの充電電圧を検出する３段の電圧検出回路と、前段から後段にわたって、前段の電圧検出回路の検出電圧を入力して前段の分割主コンデンサの充電完了を判定し、判定結果に基づき中段の充電回路を駆動して当該分割主コンデンサを充電し、中段の電圧検出回路の検出電圧を入力して中段の分割主コンデンサの充電完了を判定し、判定結果に基づき後段の充電回路を駆動して当該分割主コンデンサを充電する順次充電制御を行う制御回路と、を有する構成により上記目的を実現した。
【実施例】
【００１４】
以下に、本発明の実施例に係るストロボ装置における主コンデンサ充電回路について詳細に説明する。
【００１５】
（実施例１）
図１乃至図３を参照して本発明の実施例１に係るストロボ装置における主コンデンサ充電回路について詳細に説明する。
【００１６】
本実施例１に係るストロボ装置における主コンデンサ充電回路１は、図１に示すように、例えばリチウム電池等のバッテリー２及びＤＣ−ＤＣコンバータ３からなり、出力直流電圧を例えば３３０Ｖとした電源部４と、例えば通常使用される主コンデンサの容量を１／Ｎ（Ｎは２，３，４，５等の正の整数）に分割した容量を有するＮ段の各分割主コンデンサＭＣ１、ＭＣ２、ＭＣ３、・・・に対して各々電源部４からの所定の直流電圧を供給して充電するＮ段の充電回路５Ａ、５Ｂ、５Ｃ・・・と、前記Ｎ段の各分割主コンデンサＭＣ１、ＭＣ２、ＭＣ３、・・・の各充電電圧を検出するＮ段の電圧検出回路６Ａ、６Ｂ、６Ｃ・・・と、前段から最終段（第１段から第Ｎ段）にわたって、前段の電圧検出回路６Ａ、６Ｂ、６Ｃ・・・の検出電圧を入力して当該分割主コンデンサＭＣ１、ＭＣ２、ＭＣ３、・・・の充電完了を判定し、判定結果に基づき後続段の充電回路５Ｂ、５Ｃ・・・を駆動して当該分割主コンデンサＭＣ２、ＭＣ３、・・・を充電する順次充電制御を行う制御回路７と、この制御回路７により点灯駆動されるＮ個の充電完了ランプ８Ａ、８Ｂ、８Ｃ・・・と、を有している。
【００１７】
前記各分割主コンデンサＭＣ１、ＭＣ２、ＭＣ３・・・は、ストロボ装置におけるストロボ放電管９に並列接続している。
【００１８】
尚、以下の説明では、各分割主コンデンサＭＣ１、ＭＣ２、ＭＣ３、・・・の充電電圧（フル充電電圧）は、例えば２７０Ｖとする。
【００１９】
また、前記各分割主コンデンサＭＣ１、ＭＣ２、ＭＣ３、・・・の容量は、例えば３段構成であれば、通常使用される主コンデンサの容量が例えば２１００μＦであれば７００μＦ、例えば４段構成であれば、通常使用される主コンデンサの容量が例えば２０００μＦであれば５００μＦのように選定される。
【００２０】
前記Ｎ段の電圧検出回路６Ａ、６Ｂ、６Ｃ・・・のうち、前段（第１段）の電圧検出回路６Ａは、前段の分割主コンデンサＭＣ１と並列接続した２個の分圧抵抗Ｒ１、Ｒ２の直列回路からなり、両分圧抵抗Ｒ１、Ｒ２の接続点の検出電圧を詳細は後述する制御回路７に送るように構成している。同様に、中段（第２段）の電圧検出回路６Ｂは、中段の分割主コンデンサＭＣ２と並列接続した２個の分圧抵抗Ｒ１、Ｒ２の直列回路からなり、両分圧抵抗Ｒ１、Ｒ２の接続点の検出電圧を詳細は後述する制御回路７に送り、後段（第３段）の電圧検出回路６Ｃは、後段の分割主コンデンサＭＣ３と並列接続した２個の分圧抵抗Ｒ１、Ｒ２の直列回路からなり、両分圧抵抗Ｒ１、Ｒ２の接続点の検出電圧を詳細は後述する制御回路７に送るように構成している。
【００２１】
後段の電圧検出回路６Ｃに後続する第４段以降の電圧検出回路（図示せず）も同様の構成としている。
【００２２】
前記Ｎ段の充電回路５Ａ、５Ｂ、５Ｃ・・・のうち、前段（第１段）の充電回路５Ａは、前記ＤＣ−ＤＣコンバータ３からストロボ放電管９に至る電圧供給ラインに順接続したダイオードＤ１を具備し、前記ＤＣ−ＤＣコンバータ３からの出力直流電圧をダイオードＤ１を介して前段の分割主コンデンサＭＣ１に供給し、この分割主コンデンサＭＣ１を充電するようになっている。
【００２３】
前記中段（第２段）の充電回路５Ｂは、前記ＤＣ−ＤＣコンバータ３からストロボ放電管９に至る電圧供給ラインに順接続したダイオードＤ２と、このダイオードＤ２に接続したスイッチング駆動される通電トランジスタＴＲ２１と、この通電トランジスタＴＲ２１のベースに接続した通電制御トランジスタＴＲ２２とを具備し、制御回路７の制御の基に通電制御トランジスタＴＲ２２を介して通電トランジスタＴＲ２１をオン駆動し、前記ＤＣ−ＤＣコンバータ３からの出力直流電圧をダイオードＤ２、通電トランジスタＴＲ２１を介して中段の分割主コンデンサＭＣ２に供給し、この分割主コンデンサＭＣ２を充電するようになっている。
【００２４】
さらに、前記充電回路５Ｂは、分割主コンデンサＭＣ２とストロボ放電管９との間の電圧供給ラインに逆流阻止ダイオードＤ２１を直列接続している。
【００２５】
前記後段（第３段）の充電回路５Ｃは、前記ＤＣ−ＤＣコンバータ３からストロボ放電管９に至る電圧供給ラインに順接続したダイオードＤ３と、このダイオードＤ３接続したスイッチング駆動される通電トランジスタＴＲ３１と、この通電トランジスタＴＲ３１のベースに接続した通電制御トランジスタＴＲ３２とを具備し、制御回路７の制御の基に通電制御トランジスタＴＲ３２を介して通電トランジスタＴＲ３１をオン駆動し、前記ＤＣ−ＤＣコンバータ３からの出力直流電圧をダイオードＤ３、通電トランジスタＴＲ３１を介して後段の分割主コンデンサＭＣ３に供給し、この分割主コンデンサＭＣ３を充電するようになっている。
【００２６】
さらに、前記充電回路５Ｃは、分割主コンデンサＭＣ３とストロボ放電管９との間の電圧供給ラインに逆流阻止ダイオードＤ３１を直列接続している。
後段の充電回路５Ｃに後続する第４段以降の充電回路（図示せず）も同様の構成としている。
【００２７】
次に、前記制御回路７の構成例について図２を参照して説明する。前記制御回路７は、前記Ｎ段の電圧検出回路６Ａ、６Ｂ、６Ｃ・・・からの各検出電圧をデジタル信号に変換するＡ／Ｄ変換回路１１と、前記各分割主コンデンサＭＣ１、ＭＣ２、ＭＣ３・・・の充電電圧（フル充電電圧）を記憶した電圧データ記憶部１２と、Ａ／Ｄ変換回路１１からのデジタル化された各検出電圧と、電圧データ記憶部１２に記憶した各分割主コンデンサＭＣ１、ＭＣ２、ＭＣ３・・・の充電電圧のデータとを比較し、各分割主コンデンサＭＣ１、ＭＣ２、ＭＣ３・・・の各々の充電完了を判定して、各充電完了信号を出力する比較判定回路１３と、この比較判定回路１３の判定結果に応じて、前段の充電完了信号に応じて後続段の充電回路に充電開始信号を送る充電開始信号出力回路１４と、比較判定回路１３の判定結果に応じて、前記制御回路７に接続した前記分割主コンデンサＭＣ１、ＭＣ２、ＭＣ３・・・に対応する個数の例えば発光ダイオード等からなる充電完了ランプ８Ａ、８Ｂ、８Ｃ・・・を順に点灯駆動する充電完了ランプ駆動回路１５と、これら各要素を制御する充電コントロール回路（ＣＰＵ）１６と、を有している。
【００２８】
次に、本実施例１に係るストロボ装置における主コンデンサ充電回路１の動作について、図３をも参照して説明する。尚、以下の説明では、図１に示す３段構成の分割主コンデンサＭＣ１、ＭＣ２、ＭＣ３の順次充電を行なう場合を主にして説明する。
【００２９】
本実施例１に係るストロボ装置における主コンデンサ充電回路１の動作を開始させると、まず、前記バッテリー２及び前記ＤＣ−ＤＣコンバータ３からなる電源部４からの出力直流電圧が前段の充電回路５Ａを構成するダイオードＤ１を介して前段の分割主コンデンサＭＣ１に供給され、この分割主コンデンサＭＣ１の充電が始まる。
【００３０】
前記分割主コンデンサＭＣ１の充電電圧は、前段の電圧検出回路６Ａの２個の分圧抵抗Ｒ１、Ｒ２により検出され、その検出電圧は制御回路７におけるＡ／Ｄ変換回路１１に送られ、デジタル信号に変換される。
【００３１】
前記制御回路７における比較判定回路１３は、デジタル化された電圧検出回路６Ａからの検出電圧と、電圧データ記憶部１２に記憶した分割主コンデンサＭＣ１の充電電圧のデータとを比較し、前記検出電圧が分割主コンデンサＭＣ１の充電電圧（フル充電電圧）に至ったと判定したとき、充電完了信号を充電開始信号出力回路１４及び充電完了ランプ駆動回路１５に出力する。
【００３２】
前記充電開始信号出力回路１４は、前記充電完了信号に応じて後続段、すなわち、中段の充電回路５Ｂを構成する通電制御トランジスタＴＲ２２のベースに充電開始信号を送出する。
【００３３】
これにより、通電制御トランジスタＴＲ２２、通電トランジスタＴＲ２１が順にオンし、電源部４からの出力直流電圧が中段の分割主コンデンサＭＣ２に供給され、この分割主コンデンサＭＣ２の充電が始まる。
【００３４】
同時に、前記充電完了ランプ駆動回路１５により前記分割主コンデンサＭＣ１に対応する充電完了ランプ８Ａが点灯駆動され、これによりカメラマンは分割主コンデンサＭＣ１の充電完了状態を認識できる。
【００３５】
この場合、前記分割主コンデンサＭＣ１が充電開始から所定の充電電圧（フル充電電圧）に至るまでの充電時間、すなわち、前記ストロボ放電管９が発光可能となる時間は、図３に示すように例えば２．７（ｓｅｃ）程度となり、仮に２１００μＦの主コンデンサを１個使用したストロボ装置の場合には８（ｓｅｃ）程度であることと比較し、約１／３の時間に短縮できる。
【００３６】
この状態で、カメラマンはシャッターボタンを操作し前記分割主コンデンサＭＣ１のみの充電電圧（放電エネルギー）に基づくストロボ放電管９の発光の下に被写体の撮影を実行することが可能となる。尚、ストロボ放電管９の発光光量は通常使用される主コンデンサ１個の場合に比べ減少する。
【００３７】
次に、中段の分割主コンデンサＭＣ２の充電電圧は、中段の電圧検出回路６Ｂの２個の分圧抵抗Ｒ１、Ｒ２により検出され、その検出電圧は制御回路７におけるＡ／Ｄ変換回路１１に送られ、デジタル信号に変換される。
【００３８】
前記制御回路７における比較判定回路１３は、デジタル化された電圧検出回路６Ｂからの検出電圧と、電圧データ記憶部１２に記憶した分割主コンデンサＭＣ２の充電電圧のデータとを比較し、前記検出電圧が分割主コンデンサＭＣ２の充電電圧（フル充電電圧）に至ったと判定したとき、充電完了信号を充電開始信号出力回路１４及び充電完了ランプ駆動回路１５に出力する。
【００３９】
前記充電開始信号出力回路１４は、前記充電完了信号に応じて後続段、すなわち、後段の充電回路５Ｃを構成する通電制御トランジスタＴＲ３２のベースに充電開始信号を送出する。
【００４０】
これにより、通電制御トランジスタＴＲ３２、通電トランジスタＴＲ３１が順にオンし、電源部４からの出力直流電圧が後段の分割主コンデンサＭＣ３に供給され、この分割主コンデンサＭＣ３の充電が始まる。
【００４１】
同時に、前記充電完了ランプ駆動回路１５により前記分割主コンデンサＭＣ２に対応する充電完了ランプ８Ｂが点灯駆動され、これによりカメラマンは分割主コンデンサＭＣ２の充電完了状態を認識できる。
【００４２】
この場合、前記分割主コンデンサＭＣ２が充電開始から所定の充電電圧（フル充電電圧）に至るまでの充電時間、すなわち、前記ストロボ放電管９が発光可能となる時間も上述した場合と同様、例えば２．７（ｓｅｃ）程度（当初の充電開始からは５．４（ｓｅｃ）程度）となり、仮に２１００μＦの主コンデンサを１個使用したストロボ装置の場合には８（ｓｅｃ）程度であることと比較し、約１／３の時間に短縮できる。
【００４３】
この状態で、カメラマンはシャッターボタンを操作し前記分割主コンデンサＭＣ２のみの充電電圧に基づくストロボ放電管９の発光の下に被写体の撮影を実行することが可能となる。
【００４４】
尚、前記分割主コンデンサＭＣ１の充電完了時点でカメラマンがシャッター操作を行なわなかった場合には、当初の充電開始からは５．４（ｓｅｃ）経過時点で、前記分割主コンデンサＭＣ１及びＭＣ２両方の充電電圧（放電エネルギー）に基づくストロボ放電管９の発光の下に被写体の撮影を実行することが可能となる。
【００４５】
次に、分割主コンデンサＭＣ３の充電電圧は、後段の電圧検出回路６Ｃの２個の分圧抵抗Ｒ１、Ｒ２により検出され、その検出電圧は制御回路７におけるＡ／Ｄ変換回路１１に送られ、デジタル信号に変換される。
【００４６】
前記制御回路７における比較判定回路１３は、デジタル化された電圧検出回路６Ｃからの検出電圧と、電圧データ記憶部１２に記憶した分割主コンデンサＭＣ３の充電電圧のデータとを比較し、前記検出電圧が分割主コンデンサＭＣ３の充電電圧（フル充電電圧）に至ったと判定したとき、充電完了信号を充電開始信号出力回路１４及び充電完了ランプ駆動回路１５に出力する。
【００４７】
充電開始信号出力回路１４は、前記充電完了信号に応じて図示しない後続段の充電回路に充電開始信号を送出する。
【００４８】
同時に、前記充電完了ランプ駆動回路１５により前記分割主コンデンサＭＣ３に対応する充電完了ランプ８Ｃが点灯駆動され、これによりカメラマンは分割主コンデンサＭＣ３の充電完了状態を認識できる。
【００４９】
この場合、前記分割主コンデンサＭＣ３が充電開始から所定の充電電圧（フル充電電圧）に至るまでの充電時間、すなわち、前記ストロボ放電管９が発光可能となる時間も上述した場合と同様、例えば２．７（ｓｅｃ）程度（当初の充電開始からは約８（ｓｅｃ）程度）となり、仮に２１００μＦの主コンデンサを１個使用したストロボ装置の場合には８（ｓｅｃ）程度であることと比較し、約１／３の時間に短縮できる。
【００５０】
この状態で、カメラマンはシャッターボタンを操作し前記分割主コンデンサＭＣ３のみの充電電圧に基づくストロボ放電管９の発光の下に被写体の撮影を実行することが可能となる。
【００５１】
尚、前記分割主コンデンサＭＣ１及びＭＣ２の各充電完了時点でカメラマンがシャッター操作を行なわなかった場合には、当初の充電開始からは約８（ｓｅｃ）経過時点で、前記分割主コンデンサＭＣ１乃至ＭＣ３全ての充電電圧（放電エネルギー）に基づくストロボ放電管９の発光の下に被写体の撮影を実行することが可能となる。
【００５２】
尚、各分割主コンデンサを４段、５段等とし、これに対応する主コンデンサ充電回路を構成した場合も、上述した場合と全く同様の作用、効果を発揮させることができる。
【００５３】
このようにして、本実施例１に係るストロボ装置における主コンデンサ充電回路１によれば、通常使用される主コンデンサの容量を１／Ｎ（Ｎは２，３，４，５等の正の整数）に分割した容量を有するＮ段の各分割主コンデンサＭＣ１、ＭＣ２、ＭＣ３、・・・を、順次短時間でストロボ放電管９が発光可能な状態に充電し、個々にストロボ放電管９の発光の下に被写体の撮影を実行可能な状態とするものであるから、通常使用される主コンデンサ１個を用いたストロボ装置に比べて、少ない待ち時間でストロボ装置を使用した被写体の撮影を次々と行なうことが可能となる。
【００５４】
（実施例２）
図４、図５を参照して本発明の実施例２に係るストロボ装置における主コンデンサ充電回路１Ａについて詳細に説明する。尚、図４に示す主コンデンサ充電回路１Ａにおいて、図１に示す主コンデンサ充電回路１と同一の要素には同一の符号を付し、その詳細な説明は省略する。
【００５５】
本実施例２に係るストロボ装置における主コンデンサ充電回路１Ａは、基本的構成は実施例１の場合と同様であるが、全体として前段、後段の２段構成としたことが特徴である。
【００５６】
すなわち、この主コンデンサ充電回路１Ａは、例えばリチウム電池等のバッテリー２及びＤＣ−ＤＣコンバータ３からなり、出力直流電圧を例えば３３０Ｖとした電源部４と、例えば通常使用される主コンデンサの容量を１／２に分割した容量を有する２段の各分割主コンデンサＭＣ１、ＭＣ２に対して各々電源部４からの所定の直流電圧を供給して充電する２段の充電回路５Ａ、５Ｂと、前記２段の分割主コンデンサＭＣ１、ＭＣ２の各充電電圧を検出する２段の電圧検出回路６Ａ、６Ｂと、前段の電圧検出回路６Ａの検出電圧を入力して当該分割主コンデンサＭＣ１充電完了を判定し、判定結果に基づき後段の充電回路５Ｂを駆動して当該分割主コンデンサＭＣ２を充電する順次充電制御を行う実施例１の場合と同様な制御回路７と、この制御回路７により点灯駆動される２個の充電完了ランプ８Ａ、８Ｂと、を有している。
【００５７】
前記各分割主コンデンサＭＣ１、ＭＣ２は、ストロボ装置におけるストロボ放電管９に並列接続している。
【００５８】
前記各分割主コンデンサＭＣ１、ＭＣ２の容量は、通常使用される主コンデンサの容量が例えば２０００μＦであれば１０００μＦに設定する。
本実施例２に係るストロボ装置における主コンデンサ充電回路１Ａによれば、実施例１の主コンデンサ充電回路１の場合と同様な動作の基に、前記各分割主コンデンサＭＣ１、ＭＣ２を順次充電し、各々各分割主コンデンサＭＣ１、ＭＣ２の充電電圧に応じてストロボ放電管９の発光の下に被写体の撮影を実行可能な状態とすることができる。
【００５９】
すなわち、前記分割主コンデンサＭＣ１が充電開始から所定の充電電圧（フル充電電圧）に至るまでの充電時間、すなわち、前記ストロボ放電管９が発光可能となる時間は、図５に示すように例えば４（ｓｅｃ）程度となり、仮に２０００μＦの主コンデンサを１個使用したストロボ装置の場合には８（ｓｅｃ）程度であることと比較し、約１／２の時間に短縮できる。
【００６０】
この状態で、カメラマンはシャッターボタンを操作し前記分割主コンデンサＭＣ１のみの充電電圧（放電エネルギー）に基づくストロボ放電管９の発光の下に被写体の撮影を実行することが可能となる。尚、ストロボ放電管９の発光光量は通常使用される主コンデンサ１個の場合に比べ減少する。
【００６１】
また、前記分割主コンデンサＭＣ２が充電開始から所定の充電電圧（フル充電電圧）に至るまでの充電時間、すなわち、前記ストロボ放電管９が発光可能となる時間も上述した場合と同様、例えば４（ｓｅｃ）程度（当初の充電開始からは約８（ｓｅｃ）程度）となり、仮に２０００μＦの主コンデンサを１個使用したストロボ装置の場合には８（ｓｅｃ）程度であることと比較し、約１／２の時間に短縮できる。
【００６２】
尚、前記分割主コンデンサＭＣ１の各充電完了時点でカメラマンがシャッター操作を行なわなかった場合には、当初の充電開始からは約８（ｓｅｃ）経過時点で、前記分割主コンデンサＭＣ１、ＭＣ２両方の充電電圧（放電エネルギー）に基づくストロボ放電管９の発光の下に被写体の撮影を実行することが可能となる。この状態は通常使用される主コンデンサ１個を使用したストロボ装置の場合と同じである。
【００６３】
このようにして、本実施例２に係るストロボ装置における主コンデンサ充電回路１Ａによれば、通常使用される主コンデンサの容量を１／２に分割した容量を有する２段の各分割主コンデンサＭＣ１、ＭＣ２を、順次短時間でストロボ放電管９が発光可能な状態に充電し、個々にストロボ放電管９の発光の下に被写体の撮影を実行可能な状態とするものであるから、通常使用される主コンデンサ１個を用いたストロボ装置に比べて、少ない待ち時間でストロボ装置を使用した被写体の撮影を次々と行なうことが可能となる。
【００６４】
（実施例３）
図６を参照して本発明の実施例３に係るストロボ装置における主コンデンサ充電回路１Ｂについて詳細に説明する。尚、図６に示す主コンデンサ充電回路１Ｂにおいて、図１に示す主コンデンサ充電回路１と同一の要素には同一の符号を付し、その詳細な説明は省略する。
【００６５】
本実施例３に係るストロボ装置における主コンデンサ充電回路１は、図６に示すように、例えばリチウム電池等のバッテリー２及びＤＣ−ＤＣコンバータ３からなり、出力直流電圧を例えば３３０Ｖとした電源部４と、例えば通常使用される主コンデンサの容量を１／３に分割した容量を有する前段、中断、後段の３段構成の各分割主コンデンサＭＣ１、ＭＣ２、ＭＣ３に対して各々電源部４からの所定の直流電圧を供給して充電する３段の充電回路５Ａ、５Ｂ、５Ｃと、前記３段の各分割主コンデンサＭＣ１、ＭＣ２、ＭＣ３の各充電電圧を検出する３段の電圧検出回路６Ａ、６Ｂ、６Ｃと、前段から最終段（第１段から第３段）にわたって、前段の電圧検出回路６Ａ、６Ｂ、６Ｃの検出電圧を入力して当該分割主コンデンサＭＣ１、ＭＣ２、ＭＣ３の充電完了を判定し、判定結果に基づき後続段の充電回路５Ｂ、５Ｃを駆動して当該分割主コンデンサＭＣ２、ＭＣ３を充電する順次充電制御を行う制御回路７と、この制御回路７により点灯駆動される３個の充電完了ランプ８Ａ、８Ｂ、８Ｃと、を有している。
【００６６】
前記各分割主コンデンサＭＣ１、ＭＣ２、ＭＣ３は、ストロボ装置におけるストロボ放電管９に並列接続している。
【００６７】
尚、各分割主コンデンサＭＣ１、ＭＣ２、ＭＣ３の充電電圧（フル充電電圧）は、例えば２７０Ｖとする。
【００６８】
また、前記各分割主コンデンサＭＣ１、ＭＣ２、ＭＣ３の容量は、例えば通常使用される主コンデンサの容量が例えば２１００μＦであれば７００μＦに設定される。
【００６９】
本実施例３に係るストロボ装置における主コンデンサ充電回路１Ｂによれば、実施例１の主コンデンサ充電回路１の場合と略同様な作用、効果を発揮する。
【００７０】
すなわち、本実施例３に係るストロボ装置における主コンデンサ充電回路１Ｂによれば、通常使用される主コンデンサの容量を１／３に分割した容量を有する３段の各分割主コンデンサＭＣ１、ＭＣ２、ＭＣ３を、順次短時間でストロボ放電管９が発光可能な状態に充電し、個々にストロボ放電管９の発光の下に被写体の撮影を実行可能な状態とするものであるから、通常使用される主コンデンサ１個を用いたストロボ装置に比べて、少ない待ち時間でストロボ装置を使用した被写体の撮影を次々と行なうことが可能となる。
【産業上の利用可能性】
【００７１】
本発明のストロボ装置における主コンデンサ充電回路は、ストロボ内蔵カメラ、ストロボ外付カメラの別を問わず、また、ストロボを使用するものであればデジタルカメラ、スチールカメラ等のカメラの種別を問わず広範に応用可能である。
【図面の簡単な説明】
【００７２】
【図１】本発明の実施例１に係るストロボ装置における主コンデンサ充電回路の概略回路構成図である。
【図２】本実施例１に係る主コンデンサ充電回路を構成する制御回路の概略回路構成図である。
【図３】本実施例１に係る主コンデンサ充電回路による各分割主コンデンサの充電特性を示す説明図である。
【図４】本発明の実施例２に係るストロボ装置における主コンデンサ充電回路の概略回路構成図である。
【図５】本実施例２に係る主コンデンサ充電回路による各分割主コンデンサの充電特性を示す説明図である。
【図６】本発明の実施例３に係るストロボ装置における主コンデンサ充電回路の概略回路構成図である。
【符号の説明】
【００７３】
１    ストロボ装置における主コンデンサ充電回路
１Ａ  ストロボ装置における主コンデンサ充電回路
１Ｂ  ストロボ装置における主コンデンサ充電回路
２    バッテリー
３    ＤＣ−ＤＣ コンバータ
４    電源部
５Ａ  充電回路
５Ｂ  充電回路
５Ｃ  充電回路
６Ａ  電圧検出回路
６Ｂ  電圧検出回路
６Ｃ  電圧検出回路
７    制御回路
８Ａ  充電完了ランプ
８Ｂ  充電完了ランプ
８Ｃ  充電完了ランプ
９    ストロボ放電管
１１    Ａ／Ｄ変換回路
１２    電圧データ記憶部
１３    比較判定回路
１４    充電開始信号出力回路
１５    充電完了ランプ駆動回路
１６    充電コントロール回路
Ｄ１    ダイオード
Ｄ２    ダイオード
Ｄ３    ダイオード
Ｄ２１  逆流阻止ダイオード
Ｄ３１  逆流阻止ダイオード
ＭＣ１  分割主コンデンサ
ＭＣ２  分割主コンデンサ
ＭＣ３  分割主コンデンサ
Ｒ１    分圧抵抗
Ｒ２    分圧抵抗
ＴＲ２１  通電トランジスタ
ＴＲ２２  通電制御トランジスタ
ＴＲ３１  通電トランジスタ
ＴＲ３２  通電制御トランジスタ
【図１】
2009186623.tif 000003
【図２】
2009186623.tif 000004
【図３】
2009186623.tif 000005
【図４】
2009186623.tif 000006
【図５】
2009186623.tif 000007
【図６】
2009186623.tif 000008